(57)【要約】  携帯電話が、文書を直接携帯電話にスキャンするスキャナ機能を含む。携帯電話は、名刺でも、８  １／２”×１１”の標準の用紙の複数のページでもスキャンすることができる。名刺のスキャニングは、データをコンタクト・リストに自動的に入力し、次いでこのコンタクト・リストがホストＰＣと同期される機能を含むことができる。携帯電話における開示された特定のスキャン方法およびステッチ方法は、携帯電話に組み込まれたたとえ低解像度のカメラでも、サイズおよび／または形状が事実上無制限であるオブジェクトをスキャンすることが可能である。第１の実施形態では、開示されたスキャナは、直接携帯電話のデジタル・ポートにインターフェースされた外部スキャナを利用し、第２の実施形態では、スキャナは、低解像度の内部カメラを使用して、より大きなオブジェクトまたは文書のマトリックス部分のイメージをキャプチャする。
2008521291.tif 000002
【特許請求の範囲】
【請求項１】
携帯電話内のプロセッサ上で動作するスキャナ・モジュール、
イメージング装置、および
イメージ・ステッチング・アプリケーションを含み、
前記イメージ・ステッチング・アプリケーションは、前記携帯電話の内部で、前記イメージング装置によりそれぞれ取得された複数のイメージ・ファイルからのイメージを合わせてステッチし、前記複数のイメージ・ファイルからのイメージを含む単一のステッチ出力イメージ・ファイルを前記携帯電話内のメモリに記憶する、文書を直接携帯電話にスキャンする機器。
【請求項２】
前記イメージング装置はカメラである、請求項１に記載の文書を直接携帯電話にスキャンする機器。
【請求項３】
前記カメラは前記携帯電話に組み込まれる、請求項２に記載の文書を直接携帯電話にスキャンする機器。
【請求項４】
前記イメージング装置は、直接前記携帯電話にインターフェースされる外部スキャナである、請求項１に記載の文書を直接携帯電話にスキャンする機器。
【請求項５】
前記外部スキャナは、有線ポートを介して直接前記携帯電話にインターフェースされる、請求項４に記載の文書を直接携帯電話にスキャンする機器。
【請求項６】
前記外部スキャナは、赤外線ポートを介して直接前記携帯電話にインターフェースされる、請求項４に記載の文書を直接携帯電話にスキャンする機器。
【請求項７】
前記イメージ・ステッチング・アプリケーションはパノラマ・ステッチング・プログラムである、請求項１に記載の文書を直接携帯電話にスキャンする機器。
【請求項８】
前記携帯電話内の前記メモリは前記携帯電話内のリムーバブル・メモリ・カードである、請求項１に記載の文書を直接携帯電話にスキャンする機器。
【請求項９】
前記複数のイメージはスキャンされた名刺を含む、請求項１に記載の文書を直接携帯電話にスキャンする機器。
【請求項１０】
前記複数のイメージは１枚の８  １／２”×１１”のサイズの用紙を含む、請求項１に記載の文書を直接携帯電話にスキャンする機器。
【請求項１１】
前記複数のイメージは１枚のＡ４サイズの用紙を含む、請求項１に記載の文書を直接携帯電話にスキャンする機器。
【請求項１２】
複数のイメージ・ファイルを直接携帯電話にスキャンすること、および、前記携帯電話内で、前記複数のイメージ・ファイルを合わせてステッチして単一のスキャン文書にすることを含む、文書を直接携帯電話にスキャンする方法。
【請求項１３】
前記複数のイメージ・ファイルを直接前記携帯電話にスキャンするためにカメラをアクティブ化することをさらに含む、請求項１２に記載の文書を直接携帯電話にスキャンする方法。
【請求項１４】
前記カメラは前記携帯電話に組み込まれる、請求項１３に記載の文書を直接携帯電話にスキャンする方法。
【請求項１５】
前記複数のイメージ・ファイルを直接前記携帯電話にスキャンするために外部スキャナをアクティブ化することをさらに含む、請求項１２に記載の文書を直接携帯電話にスキャンする方法。
【請求項１６】
前記外部スキャナは、有線ポートを介して直接前記携帯電話にインターフェースされる、請求項１５に記載の文書を直接携帯電話にスキャンする方法。
【請求項１７】
前記外部スキャナは、赤外線ポートを介して直接前記携帯電話にインターフェースされる、請求項１５に記載の文書を直接携帯電話にスキャンする方法。
【請求項１８】
前記複数のイメージ・ファイルは前記携帯電話内のリムーバブル・メモリ・カードに記憶される、請求項１２に記載の文書を直接携帯電話にスキャンする方法。
【請求項１９】
前記複数のイメージはスキャンされた名刺を含む、請求項１２に記載の文書を直接携帯電話にスキャンする方法。
【請求項２０】
前記複数のイメージは１枚の８  １／２”×１１”サイズの用紙を含む、請求項１２に記載の文書を直接携帯電話にスキャンする方法。
【請求項２１】
複数のイメージ・ファイルを直接携帯電話にスキャンする手段、および、前記携帯電話内で、前記複数のイメージ・ファイルを合わせてステッチして単一のスキャン文書にする手段を含む、文書を直接携帯電話にスキャンする機器。
【請求項２２】
前記スキャンする手段はカメラを含む、請求項２１に記載の文書を直接携帯電話にスキャンする機器。
【請求項２３】
前記カメラは前記携帯電話に組み込まれる、請求項２２に記載の文書を直接携帯電話にスキャンする機器。
【請求項２４】
前記複数のイメージ・ファイルを前記携帯電話内のリムーバブル・メモリ・カードに記憶する手段をさらに含む、請求項２１に記載の文書を直接携帯電話にスキャンする機器。
【請求項２５】
前記複数のイメージ・ファイルはスキャンされた名刺を含む、請求項２１に記載の文書を直接携帯電話にスキャンする機器。
【請求項２６】
前記複数のイメージ・ファイルは１枚の８  １／２”×１１”サイズの用紙を含む、請求項２１に記載の文書を直接携帯電話にスキャンする機器。
【請求項２７】
携帯電話であって、
携帯電話機能モジュール、
スキャナ・モジュール、
前記携帯電話と統合的に接続されたスキャナ・センサ・アレイ、ならびに、
前記携帯電話機能モジュール、前記スキャナ・モジュール、および前記スキャナ・モジュールと通信し、前記携帯電話が文書をスキャンすることができるようにするプロセッサ
を含む携帯電話。
【請求項２８】
前記文書のスキャン・イメージは前記携帯電話内のメモリに記憶される、請求項２７に記載の携帯電話。
【請求項２９】
前記携帯電話内の前記メモリは前記携帯電話から取り外し可能なリムーバブル・メモリ・カードを含む、請求項２８に記載の携帯電話。
【請求項３０】
前記スキャナは、スキャンされるオブジェクトを照明する自己照明源を含む、請求項２７に記載の携帯電話。
【請求項３１】
前記スキャナはワンド型スキャナである、請求項２７に記載の携帯電話。
【発明の詳細な説明】
【技術分野】
【０００１】
本出願は、両方の全体が参照により本明細書に明示的に組み込まれている、２００４年１１月１５日に出願した米国出願第１０／９８６，８１１号の優先権を主張するものである。
本発明は、無線装置に関する。詳細には、本発明は、携帯電話などの無線装置において利用可能な機能および機器に関する。
【背景技術】
【０００２】
無線装置の出現により、特に携帯電話の普及により世界は一変した。事実上誰でも携帯電話を所有し、多くのユーザは日常の仕事をしながら携帯電話を持ち歩く。
プロセッサの速度が速くなるに連れて、より多くの機能が携帯電話に組み込まれるようになってきている。たとえば、かつては携帯情報端末（ＰＤＡ）の範囲であった電話帳／住所録機能は、今では、現在入手可能な多くの携帯電話の基本機能になっている。他の機能には、たとえば、ハンドセットに入るように設計され、それに組み込まれたカメラなどがあるが、一般的に言って、そのようなカメラは、スタンドアロンの同等物、つまり市販のデジタル・カメラよりも解像度がずっと低い。さらに他の機能には、テキスト・データの手動入力のために携帯電話のデジタル入力ポートにプラグ接続されることができる外部キーパッドなどがある。
【０００３】
パーソナル・コンピュータは、多分携帯電話とちょうど同じぐらい、あるいはそれ以上に一般的である。現在ではパーソナル・コンピュータが多くの装置の基盤である。たとえば、デジタル・カメラからの写真は、しばしば、ユーザのパーソナル・コンピュータ（ＰＣ）にアップロードされ、次いで、そのＰＣ上で動作しているアプリケーションによって、必要に応じて処理され、印刷される。他の例には、カラー・プリンタ、ＦＡＸ機、およびスキャナがある。
【０００４】
文書をスキャンする従来の方法は十分に確立されている。文書は、所与のスキャナ装置によりスキャンされ、ホストＰＣ内に適切なファイル・タイプで記憶される。次いで、ホストＰＣは、スキャン文書を別のコンピュータに、たとえば電子メール・メッセージの添付としてインターネット接続を介してコンピュータに転送してもよい。
【０００５】
ページ送り型またはフラットベッド型のいずれのスキャナも市販されている。ページ送り型スキャナは、スキャンされるページが既知の速度でスキャン・レンズの上を通過する間、スキャン・レンズおよびスキャン・センサを静止したままにしておく。フラットベッド型は、スキャン・レンズがページまたはオブジェクトに関して移動される間、スキャンされるページ（またはその他のオブジェクト）を静止したままにしておく。
【０００６】
以前のスキャナは、パラレル・インターフェース、たいていはコンピュータのパラレル・プリンタ・ポート、を使用してコンピュータにインターフェースされた。その他、以前のスキャナには、コンピュータ上のＳＣＳＩポートを利用するものもあった。その後のスキャナは、高速シリアル・ポート、たとえばＵＳＢ−１ポートまたはＵＳＢ−２ポートを利用してきた。いずれの場合にも、スキャナは、直接パーソナル・コンピュータにインターフェースされ、イメージが最初に取得され記憶される。スキャン・イメージは、モデムまたはネットワーク・インターフェース、および多分インターネットまたはその他のネットワークを介して他のコンピュータに容易に電子メールされるか、そうでない場合は転送されることができる。
【０００７】
スキャナをよりポータブルにしようとする試みでは、通常、スキャナをラップトップ・ポータブル・コンピュータに関連付ける。しかし、スキャン・イメージをラップトップ・コンピュータから他のコンピュータに転送するためには、ラップトップはしばしば電話回線にプラグ接続される必要があり、適切なインターネット・アクセス・ソフトウェアの実行（たとえば、アメリカ・オン・ライン加入者サービス）を必要とするので、ラップトップ・コンピュータのそのようなポータビリティは高くつく。
【０００８】
ラップトップ・コンピュータとの無線ネットワークは可能であるが、それでもなお、無線ネットワークのローカル構成要素（たとえばゲートウェイ・コンピュータ）は、スキャン・ファイルがリモート・コンピュータに転送されることができるようにするために、公衆交換電話網に有線接続されなければならない。
【特許文献１】米国出願第１０／９８６，８１１号
【発明の開示】
【発明が解決しようとする課題】
【０００９】
改善されたスキャナ、および、スキャナ機能の真のポータビリティを改善し、また携帯電話の内部にスキャン文書を取得する技法を改善するスキャン技法が必要とされている。
【課題を解決するための手段】
【００１０】
本発明の原理によれば、携帯電話は携帯電話機能モジュール、およびスキャナ・モジュールを含む。スキャナ・センサ・アレイが携帯電話に組み込まれる。プロセッサは、携帯電話機能モジュール、スキャナ・モジュール、および組込みスキャナと通信し、携帯電話が文書をスキャンすることができるようにする。
【００１１】
他の実施形態によれば、文書を直接携帯電話にスキャンする機器は、携帯電話内のプロセッサ上で動作するスキャナ・モジュール、イメージング装置、およびイメージ・ステッチング・アプリケーションを含む。イメージ・ステッチング・アプリケーションは、携帯電話の内部で、イメージング装置によりそれぞれ取得された複数のイメージ・ファイルからのイメージを合わせてステッチする。複数のイメージ・ファイルからのイメージを含む単一のステッチ出力イメージ・ファイルは、携帯電話内のメモリに記憶される。
【００１２】
本発明の他の態様による文書を直接携帯電話にスキャンする方法は、複数のイメージ・ファイルを直接携帯電話にスキャンすることを含む。複数のイメージ・ファイルは、携帯電話内で、合わせてステッチされて単一のスキャン文書にされる。
本発明の特徴および利点は、図面を参照しながら以下の説明を読めば当業者には明らかになるであろう。
【発明を実施するための最良の形態】
【００１３】
本発明は文書を直接携帯電話にスキャンする機器および技法を提供する。携帯電話は、小さな文書（たとえば名刺）でも、ずっと大きな文書（たとえば標準の８  １／２”×１１”の用紙の複数のページ）でもスキャンすることができる。名刺のスキャニングは、データをコンタクト・リストに自動的に入力し、次いでこのコンタクト・リストがホストＰＣと同期される機能を含むことができる。携帯電話における開示された特定のスキャン方法およびステッチ方法は、現在入手可能な多くの携帯電話に組み込まれた低解像度のカメラを利用して、サイズおよび／または形状が事実上無制限であるオブジェクトをスキャンすることができる。
【００１４】
第１の実施形態では、開示されたスキャナは、携帯電話のデジタル・ポートに直接インターフェースされる外部スキャナを利用し、第２の実施形態では、スキャナは、低解像度の内部カメラを使用して、より大きなオブジェクトまたは文書のマトリックス部分のイメージをキャプチャする。
【００１５】
たとえば、スキャン・モードがアクティブ化された後は、ユーザは携帯電話のカメラをスキャン部分の上を順次通過させ、それぞれがハンドセットのメモリにそれ自体のファイルとして最初に記憶される「スキャン」イメージのマトリックス部分をキャプチャする。
【００１６】
カメラの円形レンズを通して取得されたイメージは、従来のスキャナの場合と同様にそれぞれが文書の上を通過させられる１列のスキャナ要素により生成されたイメージに比べて、わずかに丸められた、またはわずかに歪められたイメージを生成することに留意されたい。高解像度のスキャンが必要であり、かつ／または所望される場合は、歪み補正フィルタが携帯電話に含まれ、適切な時間に（たとえば、イメージが受け取られた後で、しかしイメージが記憶される前に）キャプチャ・イメージに適用されてもよい。
【００１７】
より大きなオブジェクトおよび／または非常に低い解像度を有するカメラの場合、一連のクローズアップ・イメージが取得されてもよい。カメラがイメージに近いほど、結果としてのイメージに対する歪曲が大きいことに留意されたい。さらに、本発明の原理の範囲内で、ピクチャが撮られるときにオブジェクトからカメラが離れている特定の距離に合わせて調整される適切な歪み補正フィルタが、携帯電話の内部に実装されてもよい。
【００１８】
図１は、本発明の原理による、スキャナ・モジュールを含む例示的な携帯電話を示すブロック図である。
詳細には、図１は、スキャナ・モジュール１０８、プロセッサ１０２、無線周波数（ＲＦ）フロント・エンド１０４、メモリ１２０、および他の従来の携帯電話機能モジュール１０６を含むスキャニング携帯電話２００を示す。例示されたスキャニング携帯電話２００は、デジタル・ポート１１６、およびカメラ１００をさらに含む。任意選択で、スキャニング携帯電話２００は、光学式文字認識（ＯＣＲ）モジュール１３０、およびメモリ１２０内に対応するＯＣＲ出力テキスト・ファイル１１４を含んでもよい。
【００１９】
スキャナ・モジュール１０８は、好ましくは、スキャニング携帯電話２００が電話の呼出しに関与しない間に、ユーザによってアクティブ化される。さらに、スキャナ・モジュール１０８がアクティブな間に電話の呼出しが受信された場合は、スキャナ・モジュール１０８は、好ましくは、ユーザがスキャン動作を中断し、電話の呼出しに応答し、次いで最小の損失労力でスキャン動作に戻ることができるように、現状を保存する。もちろん、電話の呼出しが受信されたとき処理中であったいかなる単一のスキャン・イメージも、好ましくは、電話の呼出しの受信に応答してアクティブな電話機能を可能にするために中断する前に完成され、メモリ１２０に保存される。
【００２０】
スキャナ・モジュール１０８が所与のスキャンを取得した後で、１つまたは複数のアプリケーションがアクティブ化されてもよい。たとえば、ＯＣＲモジュール１３０は、好ましくはメモリ１２０に記憶されている対応するＯＣＲ出力テキスト・ファイル１１４を用いて、スキャン・イメージに関して光学式文字認識を行うためにアクティブ化されてもよい。
スキャナ・モジュール１０８により取得されたスキャン・イメージは、いかなる適切なフォーマット、たとえばＪＰＥＧ、ＴＩＦＦなどででも保存されることができる。
【００２１】
図２は、本発明の一実施形態による、外部スキャナ装置と共に、スキャナ・モジュールを含む携帯電話を示す。
詳細には、図２は、ディスプレイ２１１上に表示される「外部」スキャナ・モードでアクティブ化されるスキャニング携帯電話２００ａを示す。もちろん、スキャニング携帯電話２００ａがそのモードにある特定のスキャン・モード、および、実際、スキャニング携帯電話２００ａがスキャナ・モジュール１０８をともかくスキャン・モードで動作するようにアクティブ化させているかどうかは、この場合フリップ・ケースの外側および内側（図示されていない）にディスプレイ２１１を有するフリップ電話スタイルである携帯電話の内側または外側で、いかなるディスプレイ上に表示されてもよい。
【００２２】
外部スキャン・モードでは、他の市販のスキャナ２３９が直接スキャニング携帯電話２００ａにインターフェースされる。インターフェースは、スキャニング携帯電話２００ａのデジタル・ポート１１６を介して行われる。所望されるかまたは必要な場合は、スキャナ２３９とスキャニング携帯電話２００ａとの間のような通信フォーマットの変換は、中間通信回路で実行されてもよい。たとえば、スキャナ２３９の標準ユニバーサル・シリアル・バス（ＵＳＢ）フォーマット（たとえば、ＵＳＢ−１またはＵＳＢ−２）とデジタル・ポート１１６のカスタム化されたデジタル・フォーマットとの間で変換するための回路である。代替として、デジタル・ポート１１６は、一般の標準インターフェース（たとえば、ＵＳＢ−２ポート、ＲＳ−２３２ポートなど）としてスキャニング携帯電話２００ａに実装されてもよい。
図２に示されているスキャナ２３９はフラットベッド型スキャナであるが、スキャナ２３９は、たとえばシート・フィーダなど、いかなる適切な形式のものでもよい。
【００２３】
図３は、本発明の他の実施形態による、スキャナ・モジュールと共に動作可能な内部カメラを含む携帯電話を示す。
詳細には、図３は、スキャニング携帯電話２００ｂはイメージのスキャンを取得するために組込みハードウェア（たとえば、カメラ１００）を利用してもよいことを示す。
【００２４】
しばしば、携帯電話内のカメラ１００は、他のスタンドアロン・デジタル・カメラ装置内で利用可能な解像度より一般的に低く、スタンドアロン・スキャナの解像度より確かに低い解像度のものであり、大きなサイズのオブジェクトはもちろん、単に中間サイズのオブジェクトについても、スキャン品質の良いイメージを難しくする。
【００２５】
図４は、本発明の原理による、パーソナル・コンピュータとの同期のためにクレードルと結合された、スキャナ・モジュールを含む携帯電話を示す。
詳細には、図４は、直接スキャニング携帯電話２００にスキャンされる文書およびその他のオブジェクトは、スキャニング携帯電話２００の赤外線ポートがコンピュータ４００などの範囲内に配置されている場合、たとえばスキャニング携帯電話２００がそのクレードル４７２に置かれている場合は、他の従来の方式でコンピュータ４００上のファイルと同期されてもよいことを示す。
【００２６】
携帯電話とＰＣとの間の有線の同期が図４に示されているが、同期は、ＰＣと携帯電話との間でファイルを同期するために、他のいかなる従来の方式で実現されてもよいことに留意されたい。たとえば、携帯電話は、赤外線（ＩＲ）通信を使用してデータをＰＣと同期する機能を有する赤外線ポートを含んでもよい。スキャニング携帯電話２００とコンピュータ４００との間で同期するために、ＢＬＵＥＴＯＯＴＨ（商標）またはその他の無線ローカルエリアネットワーク（ＷＬＡＮ）の使用など、他の通信手段が使用されてもよい。
【００２７】
図５は、本発明の原理による、スキャニング携帯電話を用いて文書をスキャンするステップを示す流れ図である。
詳細には、図５のステップ５０２では、スキャニングで使用するためにスキャニング携帯電話２００のカメラ１００がアクティブ化される。
【００２８】
ステップ５０４では、１つまたは複数のモザイク・スキャン・イメージが取得される。
ステップ５０６では、完全なスキャン・イメージがスキャニング携帯電話２００に記憶された後で、１つまたは複数の他のアプリケーション・プログラムが必要に応じてスキャン・イメージ上で動作するためにアクティブ化されてもよい。たとえば、図５に示されているように、光学式文字認識（ＯＣＲ）プログラムがスキャン・イメージ上で実行される。
ステップ５０８では、ＯＣＲプログラムは、適切な出力ファイル、たとえばＡＳＣＩＩテキスト文書ファイルを生成し、好ましくはＯＣＲ文書をそのメモリ１２０に記憶する。
最後には、かつ任意選択で、ステップ５１０に示されているように、スキャンされた文書（および／または、ＯＣＲされたＡＳＣＩＩテキスト文書など、それらの派生物）は、コンピュータと同期される。
【００２９】
図６は、本発明の諸態様による、携帯電話に組み込まれた低解像度カメラを使用して大きな文書をスキャンする１つの方法を示す。
詳細には、図６は、スキャニング携帯電話２００のカメラ１００を利用して、適切なパノラマ・プログラムにより一緒につなぎ合わせられるべき複数の別々のクローズアップ・イメージをスキャンして、直接スキャニング携帯電話２００にスキャンされる単一のスキャン文書にするための、スキャニング携帯電話２００の例示的位置決めを示す。
【００３０】
文書６００のイメージ部分は、たとえば光線６０８によって示されているような特定の領域に限定される。スキャン・イメージ６００とスキャニング携帯電話２００との間の共通の距離を維持するために、物理的ガイド６０７が実装されてもよい。物理的ガイドは、スキャニング携帯電話２００との間に保持される適切な長さのワイヤ、プラスチックなどでもよい。代替として、または追加として、距離ガイドとして携帯電話２００のアンテナ自体が利用され、カメラ１００と撮影されるオブジェクトとの間の設定距離を提供してもよい。
【００３１】
好ましくは、スキャニング携帯電話のカメラ１００は、カメラ１００がそのレンズに比較的近い、たとえば数インチの距離の範囲内のイメージに焦点を合わせることができるマクロ・モードが可能である。
【００３２】
他のガイダンスは、同じ文書またはその他のオブジェクトの異なる部分の複数の撮影されたモザイク・イメージ間の属性の共有を簡単にし、かつ／または保証するのに役立つために提供されてもよい。たとえば、図７は、本発明の原理による、マトリックス・セクションのクローズアップ写真を撮る内部携帯電話カメラを用いて大きな文書をスキャンする際にユーザをガイドするために利用されることができる例示的な明瞭なガイドを示す。
【００３３】
詳細には、図７は、（図示されているようにプラスチックで、さらには細いワイヤで、作られた）半透明なグリッド構造体などのプロップ４７７が、どのように利用されて、順次方式で文書６００全体にわたって、より低い解像度のカメラ・イメージのモザイクによってユーザをガイドすることができるかを示す。開示された方法では、文書６００は、左から右へ、次いで最上部から最下部へモザイク的にスキャンされる。もちろん、そのようなセッティングが、構成ファイルまたはその他の入力において、適切なパノラマ・ステッチング・アプリケーション・プログラムに提供されている限り、その他の方向（たとえば右から左へ、および／または最下部から最上部へなど）も可能である。
【００３４】
図８は、本発明の原理による、いくつかの行の個々のスキャンのスキャン順を示し、各行は複数のセクション・スキャンを含む。
詳細には、図８は、１２の別々のモザイク・イメージ１乃至１２の、左から右へ（イメージ１乃至３）、次いで最上部から最下部へ（最初は行８０２、次いで行８０４、次いで行８０６、次いで行８０８）のスキャンを示す。
【００３５】
図９は、図８でスキャンされた第１の行の第１のセクションの例示的なスキャン・エリアを示す。
詳細には、図９は、モザイク・イメージ１（図８）の制御距離写真から生じた、スキャニング携帯電話２００のメモリ１２０内に記憶されているモザイク・イメージを示す。テキストは、モザイク・イメージ１で部分的に切り離されてもよいことに留意されたい。また、好ましくは、オーバーラップ・エリア９００ｂもモザイク・イメージ２により撮影され、オーバーラップ・エリア９００ｃもモザイク・イメージ４により撮影されるように、隣接するモザイク・イメージ間でのように９００ａから９００ｄまでオーバーラップがあることにも留意されたい。
【００３６】
図１０は、図８に示されているものによるスキャンから、個々のスキャンを合わせてイメージ・ステッチングをして別々の行にする例を示す。
詳細には、図１０は、隣接するモザイク・イメージを合わせてステッチする適切なパノラマ形成アプリケーション・プログラムの動作を示す。たとえば、形成された第１のパノラマ・イメージ１００２は、モザイク・イメージ１、２および３を合わせてステッチすることからなる。同様に、第２のパノラマ・イメージ１００４は、モザイク・イメージ４、５および６から形成され、第３のパノラマ・イメージ１００６は、モザイク・イメージ７、８および９から形成され、第４のパノラマ・イメージ１００８は、モザイク・イメージ１０、１１および１２から形成される。
【００３７】
図１１は、別々の行を合わせてイメージ・ステッチングをして、スキャン文書を示す完全な単一のスキャン・イメージにするステップを示す。
詳細には、図１１は、第１のパノラマ・イメージ１００２、第２のパノラマ・イメージ１００４、第３のパノラマ・イメージ１００６、および第４のパノラマ・イメージ１００８を単一のスキャン・イメージ１１００にする縦のステッチングを示す。
【００３８】
したがって、単一のスキャン・イメージ１１００は、スキャニング携帯電話２００内に単一のファイルとして記憶され、複数のモザイク・イメージ・ファイル１乃至１２から構成された。
【００３９】
所望のスキャンが行われ、イメージが完全にステッチされて単一のスキャン・イメージ１１００にされた後では、直接スキャニング携帯電話２００にスキャンされたイメージが所望に応じて使用されてもよい。たとえば、いかなる所与のアプリケーションがユーザによって選択され、所与のスキャン・イメージに作用し始められてもよい。
【００４０】
例示的利用形態のように、また前に図１に示されたように、光学式文字認識（ＯＣＲ）アプリケーション１３０は、タイプされたまたは書かれたいかなるイメージをもコンピュータ読み取り可能なテキスト・データに（たとえば、ＡＳＣＩＩテキスト文字に）変換するためにアクティブ化されてもよい。次いで、他のアプリケーション（ワード・プロセッサなど）がアクティブ化され、変換されたテキスト文書上で作動されてもよい。
【００４１】
図１２Ａおよび１２Ｂは、本発明のまた別の実施形態による、携帯電話自体を用いたスキャンを可能にする組込みスキャナ要素を含む携帯電話を示す。
詳細には、図１２Ａの正面図および図１２Ｂの側面図に示されているように、ワンド型スキャナ要素１２００は、ワンド型スキャナ１２００の光学面がスキャン・オブジェクトの上を通過することができるように携帯電話２００ｃの側面、上面、底面、またはその他の面の範囲内に組み込まれてもよい。
【００４２】
ワンド型スキャナ１２００は、好ましくは、スキャンされるオブジェクトのスキャン部分を照明するそれ自体のローカル光源を含む。携帯電話２００ｃのユーザは、ワンド型スキャナ１２００をスキャンされるオブジェクト上に置き、スキャンされるオブジェクト（たとえば、文書）の関連セクション全体にわたって携帯電話２００ｃをゆっくり通過させる。所望のエリアのワンドが完了した場合、ワンド型スキャナ１２００のスキャナ・モードは、（たとえば、携帯電話２００ｃの側面上のボタン・プレスにより）非アクティブ化され、スキャンされるオブジェクトから除去されてもよい。次いで、携帯電話２００ｃは、その他の用途に（たとえば、電話呼出しの受信に）利用可能になる。スキャン動作中に電話呼出しが受信された場合、スキャン動作が自動的に終了されてもよく、あるいは、スキャン・プロセスが完了するまで携帯電話２００により電話呼出しが拒絶されてもよい。
【００４３】
好ましくは、ワンド型スキャナ１２００は、平均の長さのタイプされたパラグラフ、たとえば２”の上を単一のパスで通過させられるほど十分に長い。しかし、そのような長さは、限定的であることを決して意図されるものではない。いかなる適切な長さのスキャナ要素も、関連する携帯電話２００ｃに収まる限り実装されてもよい。
【００４４】
ワンド型スキャナ１２００は、他の従来の別々のワンド・スキャナに見られるものなど、光学イメージング要素のリニア・アレイでもよい。しかし、重要なことには、本実施形態では、ワンド型スキャナ１２００は携帯電話２００ｃに組み込まれる。
【００４５】
ワンド型スキャナ１２００は、好ましくは、直接その光学面に対して置かれた文書などのオブジェクトをイメージングするのに適した固定焦点距離を有する。スキャン・オブジェクトの別々にスキャンされるセクションは、他の場合ならたとえば図７乃至１１に示されているように、合わせてステッチされてもよい。
【００４６】
ワンド型スキャナ１２００は、携帯電話２００ｃに組み込まれて示されているが、携帯電話２００ｃと統合的な有線接続をするように直接携帯電話２００ｃにプラグ接続されてもよい。たとえば、ワンド型スキャナ１２００は、携帯電話２００ｃのデジタル・ポート１１６にプラグ接続されてもよい。代替として、ワンド型スキャナ１２００は、携帯電話２００ｃ内のリムーバブル・メモリ・カード・スロットへの直接接続を有するように形成されてもよい。
【００４７】
直接携帯電話上に記憶されるスキャン・イメージ・ファイル（または、ＯＣＲアプリケーションから出力されるＡＳＣＩＩファイルなど、それらの派生ファイル）を利用する他のアプリケーションは、たとえば、ファイルを添付し、イメージを別のリモート・コンピュータに直接無線キャリアのネットワークを介して無線でかつ直接電子メールする電子メール・プログラムである。携帯電話内にＦＡＸソフトウェアが存在する場合は、スキャン・イメージは、ＦＡＸ信号に変換され、キャリアの無線ネットワークを介してリモートＦＡＸ機に送信されてもよい。
【００４８】
本発明は、本発明の例示的実施形態を参照しながら説明されてきたが、当業者は、本発明の真の主旨および範囲から逸脱することなく、説明された本発明の諸実施形態に対して様々な変更を行うことができるであろう。
【図面の簡単な説明】
【００４９】
【図１】本発明の原理による、スキャナ・モジュールを含む例示的携帯電話を示すブロック図である。
【図２】本発明の一実施形態による、外部スキャナ装置と共に、スキャナ・モジュールを含む携帯電話を示す図である。
【図３】本発明の他の実施形態による、スキャナ・モジュールと共に動作可能な内部カメラを含む携帯電話を示す図である。
【図４】本発明の原理による、パーソナル・コンピュータとの同期のためにクレードルと結合された、スキャナ・モジュールを含む携帯電話を示す図である。
【図５】本発明の原理による、スキャニング携帯電話により文書をスキャンするステップを示す流れ図である。
【図６】本発明の諸態様による、携帯電話に組み込まれた低解像度のカメラを使用して大きな文書をスキャンする１つの方法を示す図である。
【図７】本発明の原理による、マトリックス・セクションのクローズアップ写真を撮る内部携帯電話カメラで大きな文書をスキャンする際にユーザをガイドするために利用されることができる例示的な明瞭なガイドを示す図である。
【図８】本発明の原理による、各行が複数のセクション・スキャンを含む、いくつかの行の個々のスキャンのスキャン順を示す図である。
【図９】図８でスキャンされる第１の行の第１のセクションの例示的なスキャン・エリアを示す図である。
【図１０】図８に示されたものによるスキャンから、個々のスキャンを合わせて例示的イメージ・ステッチングをして別々の行にする例を示す図である。
【図１１】別々の行を合わせてイメージ・ステッチングをして、スキャン文書を示す完全な単一のスキャン・イメージにするステップを示す図である。
【図１２Ａ】本発明のさらに別の実施形態による、携帯電話自体によるスキャンを可能にする、組込みスキャナ要素を含む携帯電話を示す図である。
【図１２Ｂ】本発明のさらに別の実施形態による、携帯電話自体によるスキャンを可能にする、組込みスキャナ要素を含む携帯電話を示す図である。
【図１】
2008521291.tif 000003
【図２】
2008521291.tif 000004
【図３】
2008521291.tif 000005
【図４】
2008521291.tif 000006
【図５】
2008521291.tif 000007
【図６】
2008521291.tif 000008
【図７】
2008521291.tif 000009
【図８】
2008521291.tif 000010
【図９】
2008521291.tif 000011
【図１０】
2008521291.tif 000012
【図１１】
2008521291.tif 000013
【図１２Ａ】
2008521291.tif 000014
【図１２Ｂ】
2008521291.tif 000015
【国際調査報告】
2008521291.tif 000016